(57)【特許請求の範囲】
【請求項１】
再生可能エネルギー源を利用してエネルギーを発生させる複数のエネルギー発生装置；
夫々の前記エネルギー発生装置から出力量情報を受信する受信部と、夫々の前記エネルギー発生装置の出力量情報と既使用のエネルギー発生装置の出力量情報とを格納する格納部と、前記受信部を介して受信した夫々の前記エネルギー発生装置の出力量情報と前記格納部に既格納のエネルギー発生装置の出力量情報とを比較して夫々の前記エネルギー発生装置の予想寿命、故障または修理要否を判断する判断部と、から構成された監視サーバ;及び
ユーザーの操作によって前記監視サーバから判断された情報を提供するインターフェース；
を含み、
前記既格納のエネルギー発生装置の出力量情報は、前記エネルギー発生装置の使用期間による出力量の変化、使用条件による出力量の変化、使用時間による出力量の変化であり、
前記判断部は、使用している前記エネルギー発生装置の出力量情報を送信してもらって、当該出力量情報の時間による出力量の変化と前記既格納のエネルギー発生装置の時間による出力量の変化とを比較して使用している前記エネルギー発生装置の予想寿命を判断することを特徴とする再生可能エネルギー発生装置を監視するための遠隔監視システム。
視システム。
【請求項２】
前記判断部は、前記既格納のエネルギー発生装置の出力量情報と使用している前記エネルギー発生装置の出力量情報とを比較して、使用している前記エネルギー発生装置の出力量が同じ条件下で前記既格納のエネルギー発生装置の出力量の半分未満であれば故障と判断し、半分以上２/３未満であれば修理と判断し、２/３以上出力量未満であれば異常と判断することを特徴とする請求項１に記載の再生可能エネルギー発生装置を監視するための遠隔監視システム。
【請求項３】
前記判断部は、使用している前記エネルギー発生装置の出力量情報と前記既格納のエネルギー発生装置の出力量情報とを比較し、異常、故障または修理要否を判断し、判断結果の情報をユーザーにテキストメッセージで送信することを特徴とする請求項１又は２に記載の再生可能エネルギー発生装置を監視するための遠隔監視システム。
【請求項４】
前記インターフェースは、使用している前記エネルギー発生装置が、異常、故障または修理のいずれかに該当するかどうかを示す故障判断項目、時間による出力量の変化、出力量の変化による予想寿命及び出力量曲線を提供することを特徴とする請求項１〜３のいずれか１項に記載の再生可能エネルギー発生装置を監視するための遠隔監視システム。
【請求項５】
夫々の前記エネルギー発生装置と前記既使用のエネルギー発生装置とは、同じ種類であることを特徴とする請求項１〜４のいずれか１項に記載の再生可能エネルギー発生装置を監視するための遠隔監視システム。
【請求項６】
夫々の前記エネルギー発生装置と前記既使用のエネルギー発生装置とは、製品情報または環境情報が同一であることを特徴とする請求項１〜５のいずれか１項に記載の再生可能エネルギー発生装置を監視するための遠隔監視システム。
【請求項７】
前記製品情報は、製造年月日及び設置日時のいずれか一つ以上が同じであることを特徴とする請求項６に記載の再生可能エネルギー発生装置を監視するための遠隔監視システム。
【請求項８】
前記環境情報は、日射量、降雨量、風量及び風速のいずれか一つ以上が同じであることを特徴とする請求項６または請求項７に記載の再生可能エネルギー発生装置を監視するための遠隔監視システム。
【発明の詳細な説明】
【技術分野】
【０００１】
本発明は、再生可能エネルギー発生装置を監視するための遠隔監視システム（ＲＥＭＯＴＥ ＭＯＮＩＴＯＲＩＮＧ ＳＹＳＴＥＭ ＦＯＲ ＭＯＮＩＴＯＲＩＮＧ ＲＥＮＥＷＡＢＬＥ ＥＮＥＲＧＹ ＧＥＮＥＲＡＴＩＮＧ ＡＰＰＡＲＡＴＵＳ）に関するものである。より詳細には、既使用の類似した種類や環境の再生可能エネルギー発生装置に関する情報を利用して、現在使用している再生可能エネルギー発生装置の状態などを遠隔で認識できるようにする再生可能エネルギー発生装置を監視するための遠隔監視システムに関する。
【背景技術】
【０００２】
再生可能エネルギーは、辞書では、太陽熱、太陽光、風力、潮力、地熱のように自然界によって作られたエネルギーを指すものである。再生可能エネルギーの対象は、太陽エネルギー、風力、水力、バイオ燃料と非常に範囲が広く、気候変動問題の深刻化と化石燃料の枯渇などにより再生可能エネルギーの重要性と比重は次第に増加している。
【０００３】
再生可能エネルギーを利用した発電は、例えば、一定の厚さのパネル上に複数の太陽電池セル（Ｓｏｌａｒ−ｃｅｌｌ）が形成された集光板を介して電気エネルギーに変換させる太陽光発電装置、凹状の反射板の中央に集熱器を形成して太陽光による熱を集熱させる太陽熱利用装置が提案されている。また、再生可能エネルギーを利用した発電の例として、落下される水によってタービンが回転し、タービンの回転により発電機を駆動して電気エネルギーに変換する水力発電装置、風によってタービンが回転し、タービンの回転により発電機を駆動して電気エネルギーに変換する風力発電装置が提案された。また、再生可能エネルギーを利用した発電の例として、発散される蒸気によってタービンが回転し、タービンの回転により発電機を駆動して電気エネルギーに変換する地熱発電装置、水素と酸素の反応によって発生する電気エネルギーを利用する水素発電装置などが提案されている。
【０００４】
一方、図１には、従来の再生可能エネルギーとして使用されている太陽光と風力などの気象測器の全体構成図が示されており、図１に示すように、この気象測器には太陽光セル１０、バッテリー２０、風速計３０、温度計４０などが備えられている。
【発明の概要】
【発明が解決しようとする課題】
【０００５】
しかし、従来の気象測器など、風力などを使用する再生可能エネルギーシステムの場合、各種センサを設置し、センサから得られた情報を利用して再生可能エネルギーシステムの寿命や故障の有無などを判断した。このような構成により、従来の再生可能エネルギーシステムは構造が複雑で、複数のシステムを統合的に管理することが困難な問題があった。また、複数のセンサを設置するため、システムの構成時に設置コストが高いという問題があった。
【０００６】
本発明は、上述のような問題点を解決するために、既使用の類似した種類や環境の再生可能エネルギー発生装置に関する情報を利用して、使用している再生可能エネルギー発生装置の状態などを遠隔で認識できるようにする再生可能エネルギー発生装置を監視するための遠隔監視システムを提供することを目的としている。
【課題を解決するための手段】
【０００７】
前述した本発明の目的は、様々な再生可能エネルギー源を利用してエネルギーを発生させる複数のエネルギー発生装置；及び夫々の前記エネルギー発生装置から発生される出力量情報を送信してもらって、既使用のエネルギー発生装置の出力量情報と比較して夫々の前記エネルギー発生装置の状態を判断する監視サーバを含む再生可能エネルギー発生装置を監視するための遠隔監視システムを提供することにより達成される。
【０００８】
また、前述した本発明の目的は、再生可能エネルギー源を利用してエネルギーを発生させる複数のエネルギー発生装置；及び夫々の前記エネルギー発生装置から出力量情報を受信する受信部と、夫々の前記エネルギー発生装置の出力量情報と既使用のエネルギー発生装置の出力量情報とを格納する格納部と、前記受信部を介して受信した夫々の前記エネルギー発生装置の出力量情報と前記格納部に既格納のエネルギー発生装置の出力量情報とを比較して夫々の前記エネルギー発生装置の予想寿命、故障または修理要否などを判断する判断部と、から構成された監視サーバ;を含む再生可能エネルギー発生装置を監視するための遠隔監視システムを提供することにより達成される。
【０００９】
また、前記既格納のエネルギー発生装置の出力量情報は、前記エネルギー発生装置の使用期間による出力量の変化、使用条件による出力量の変化、使用時間による出力量の変化であることを特徴とする。
【００１０】
また、前記判断部は、前記既格納のエネルギー発生装置の出力量情報と使用している前記エネルギー発生装置の出力量情報とを比較して、使用している前記エネルギー発生装置の出力量が同じ条件下で前記既格納のエネルギー発生装置の出力量の半分未満であれば故障と判断し、半分以上２/３未満であれば修理と判断し、２/３以上出力量未満であれば異常と判断することを特徴とする。
【００１１】
また、前記判断部は、使用している前記エネルギー発生装置の出力量情報を送信してもらって、当該出力量情報の時間による出力量の変化と前記既格納のエネルギー発生装置の時間による出力量の変化とを比較して使用している前記エネルギー発生装置の予想寿命を判断することを特徴とする。
【００１２】
また、前記判断部は、使用している前記エネルギー発生装置の出力量情報と前記既格納のエネルギー発生装置の出力量情報とを比較し、異常、故障または修理要否を判断し、判断結果の情報をユーザーにテキストメッセージで送信することを特徴とする。
【００１３】
また、ユーザーの操作に応じて前記監視サーバから判断された情報を提供するインターフェースをさらに含むことを特徴とする。
【００１４】
前記インターフェースは、使用している前記エネルギー発生装置が異常、故障または修理のいずれかに該当するかどうかを示す故障判断項目、時間による出力量の変化、出力量の変化による予想寿命及び出力量曲線などを提供することを特徴とする。
【００１５】
また、夫々の前記エネルギー発生装置と前記既使用のエネルギー発生装置とは、同じ種類であることを特徴とする。
【００１６】
また、夫々の前記エネルギー発生装置と前記既使用のエネルギー発生装置とは、製品情報または環境情報が同一であることを特徴とする。
【００１７】
また、前記製品情報は、製造年月日及び設置日時のいずれか一つ以上が同じであることを特徴とする。
【００１８】
また、前記環境情報は、日射量、降雨量、風量及び風速のいずれか一つ以上が同じであることを特徴とする。
【発明の効果】
【００１９】
上述したように、本発明の再生可能エネルギー発生装置を監視するための遠隔監視システムは、太陽光や風力または水力を利用してエネルギーを発生させる複数の再生可能エネルギー発生装置から出力量情報を送信してもらって、既使用のエネルギー発生装置の出力量情報を利用して使用している再生可能エネルギー発生装置の状態を判断するため、別途のセンサを設置する必要がなく、エネルギー発生装置の全体構造が単純になり、設置コストが大幅に削減される効果がある。
【００２０】
また、使用している再生可能エネルギー発生装置の出力量情報を送信してもらって、類似した種類または環境で使用された再生可能エネルギー発生装置の出力量情報と比較することにより、再生可能エネルギー発生装置の状態を別途調査する必要なく、その状態を容易に把握できる効果がある。
【００２１】
また、インターフェースを介して使用しているエネルギー発生装置に関する情報を出力量曲線など様々な形態で提供してもらうことにより、監視しているエネルギー発生装置の現在の状態を正確に判断できるようにする効果がある。
【図面の簡単な説明】
【００２２】
【図１】従来の再生可能エネルギーとして使用される太陽光と風力などを用いた気象測器の全体構成図である。
【図２】本実施形態に係る遠隔監視システムを示す構成図である。
【図３】本実施形態に係る遠隔監視システムの監視サーバを示すブロック構成図である。
【図４】本実施形態に係る遠隔監視システムを構成するインターフェースの画面構成図である。
【発明を実施するための形態】
【００２３】
以下、添付の図面を参照して本発明の一実施形態に係る再生可能エネルギー発生装置を監視するための遠隔監視システムを詳細に説明する。図２は、本実施形態に係る遠隔監視システムを示す構成図であり、図３は、本実施形態に係る遠隔監視システムの監視サーバを示すブロック構成図であり、図４は、本実施形態に係る遠隔監視システムを構成するインターフェースの画面構成図である。
【００２４】
図２に示すように、本実施形態に係る再生可能エネルギー発生装置を監視するための遠隔監視システムは、エネルギー発生装置１００、監視サーバ２００、インターフェース３００を含んでいる。エネルギー発生装置１００、監視サーバ２００、及びインターフェース３００は、インターネット網４００を介して、クラウドコンピューティング（Ｃｌｏｕｄ Ｃｏｍｐｕｔｉｎｇ）技術を利用して相互に接続されている。
【００２５】
クラウドコンピューティング技術とは、利用者が所望の作業を行うことができる利用者中心のコンピュータ環境をいう。より具体的には、クラウドコンピューティング技術は、パーソナルコンピュータや企業のサーバに個別に格納しておいたプログラムやドキュメントに関する情報などを、インターネット網を介して接続することができる大型コンピュータに格納する。これにより、クラウドコンピューティング技術は、パーソナルコンピュータはもちろん、モバイル機器などの様々な端末でウェブブラウザなどの必要なアプリケーションを駆動して所望の作業を行うことができる。
【００２６】
したがって、本実施形態の場合、エネルギー発生装置１００の情報を監視サーバ２００に格納し、パーソナルコンピュータ等を利用してインターネット網４００を介して監視サーバ２００に格納された情報を利用できるようになっている。一方、クラウドコンピューティング技術を介して接続された各構成要素のうちエネルギー発生装置１００は、太陽光や風力、または水力エネルギーを利用してエネルギーを生産する発生装置である。また、エネルギー発生装置１００は太陽光セルや風車、または水力発電機を利用してエネルギーを生産する。図２には、エネルギー発生装置１００の例として、風力発電装置や太陽光発電装置が挙げられている。
【００２７】
監視サーバ２００には、各エネルギー発生装置１００から発生された出力量情報が送信される。そして、監視サーバ２００は、送信された各エネルギー発生装置１００の出力量情報と、各エネルギー発生装置１００と同一の種類または同一の環境で使用された既格納の各エネルギー発生装置（図示せず）の出力量情報と、を比較する。監視サーバ２００は、比較結果を用いて各エネルギー発生装置１００の現在の状態を診断する。同一の種類としては、太陽光エネルギー、水力エネルギー、風力エネルギーなどがある。
【００２８】
同一の環境としては、各エネルギー発生装置１００と同一の生産地域、団地などが該当する。また、同一の環境は、各エネルギー発生装置１００と既格納のエネルギー発生装置の製品情報と環境情報が同一である場合に該当する。このとき、製品情報は、製造年月日、設置日時などが該当し、環境情報は、日射量、降雨量、風量、風速などが該当する。
【００２９】
したがって、監視サーバ２００は、既格納のエネルギー発生装置のうち各エネルギー発生装置１００と製品情報または環境情報が同一のエネルギー発生装置と出力量を比較して、各エネルギー発生装置１００の現在の状態を診断することになる。
【００３０】
インターフェース３００は、パーソナルコンピュータ（Ｐｅｒｓｏｎａｌ ｃｏｍｐｕｔｅｒ）やスマートフォン端末（Ｓｍａｒｔ ｐｈｏｎｅ ｔｅｒｍｉｎａｌ）などで構成することができ、画面上にエネルギー発生装置１００の状態を確認することができるように様々な情報を提供する。
【００３１】
図３に示すように、監視サーバ２００は、受信部２１０、格納部２２０、判断部２３０、送信部２４０及び制御部２５０を含んでいる。受信部２１０は、各エネルギー発生装置１００から発生された出力量情報を受信する。格納部２２０は、各エネルギー発生装置１００の出力量情報と、各エネルギー発生装置１００と類似した種類または環境（類似した地域、類似した団地）で既使用のエネルギー発生装置の出力量情報と、を格納する。判断部２３０は、受信部２１０を介して受信した出力量情報と格納部２２０に既格納のエネルギー発生装置の出力量情報を比較して各エネルギー発生装置１００の予想寿命、予想生産量、故障または修理要否などを判断する。
【００３２】
この既格納のエネルギー発生装置の出力量情報は、エネルギー発生装置の使用期間による出力量の変化、使用条件による出力量の変化、使用時間による出力量の変化などである。しかし、この出力量情報はそれに限定されず、使用しているエネルギー発生装置１００の状態を把握することができるように様々な情報が既格納されて使用され得る。たとえば、時間の経過に伴って出力量が一定に維持されるかどうか、大きな出力量が一定単位で発生しているかどうかについての情報を格納して使用することができる。
【００３３】
送信部２４０は、判断部２３０を通じて判断された情報をインターフェース３００に送信し、制御部２５０は各構成の動作を制御する。このとき、判断部２３０は、既格納のエネルギー発生装置の出力量情報と使用しているエネルギー発生装置１００の出力量情報とを比較して、使用しているエネルギー発生装置１００の状態を診断する。例えば、使用しているエネルギー発生装置１００の出力量が同じ条件下で既格納のエネルギー発生装置の出力量の半分未満であれば故障と判断し、半分以上２/３未満であれば修理と判断し、２/３以上出力量未満であれば異常と判断する。
【００３４】
また、判断部２３０は、使用しているエネルギー発生装置１００の出力量情報を送信してもらい、時間による出力量の変化と既格納のエネルギー発生装置の時間による出力量の変化を比較する。そして、判断部２３０は、比較結果を利用して使用しているエネルギー発生装置１００の予想寿命を判断する。
【００３５】
すなわち、既使用のエネルギー発生装置の出力量の変化推移と、使用しているエネルギー発生装置１００の出力量の変化推移とを比較して、使用しているエネルギー発生装置１００の予想寿命を判断することができる。もし使用しているエネルギー発生装置１００の出力量の変化推移が類似した種類の既格納のエネルギー発生装置の出力量の変化推移より１/２程度低い値の出力量の変化推移が示される場合、使用しているエネルギー発生装置１００の寿命は、類似した種類の既格納のエネルギー発生装置の寿命の１/２に予測されるものと判断することができる。
【００３６】
また、判断部２３０は、使用しているエネルギー発生装置１００の出力量情報と既格納のエネルギー発生装置の出力量情報とを比較して、異常、故障または修理要否を判断すると、判断された情報をユーザーのパーソナルコンピュータやスマートフォン端末、または個人携帯端末にテキストメッセージで送信することができる。
【００３７】
図４に示すように、インターフェース３００はユーザーに様々な情報を様々な形態で提供することができ、ユーザーは提供された情報を通じて使用しているエネルギー発生装置１００の状態を容易に把握することができる。
【００３８】
より詳細に説明すると、インターフェース３００の画面には、エネルギー発生装置１００の形状を示すエネルギー発生装置の表示項目３１０、使用している各エネルギー発生装置１００が異常３２１、故障３２３または修理３２５のいずれかに該当するかどうかを示す故障判断項目３２０、時間による出力量の変化３３５、出力量の変化に伴う出力量曲線３３３、及び予想寿命３３１などで構成された予想寿命項目３３０が提供される。また、故障判断項目３２０のうち選択された項目に該当するエネルギー発生装置１００の固有番号を提供する表示画面３４０と、出力量曲線と時間による出力量の変化を示す表示画面３５０を提供する。
【００３９】
したがって、ユーザーが故障判断項目３２０のうち修理３２５を選択すると、画面に修理を要するエネルギー発生装置１００の固有番号が表示画面３４０に提供され、該当する装置がない場合は表示されない。また、出力量曲線３３３を選択すると、表示画面３５０に出力量曲線３３３が表示され、類似した種類のエネルギー発生装置の出力量曲線（図示せず）と、使用しているエネルギー発生装置１００の出力量曲線３３３の両方が画面で提供される。また、出力量曲線３３３を選択すると表示画面３５０で出力量曲線３３３を通して予想寿命３３１が提供される。
【００４０】
他の実施形態では、判断部２３０は、修理を要するエネルギー発生装置１００の固有番号をユーザーのパーソナルコンピュータやスマートフォン端末、または個人携帯端末にテキストメッセージで送信することができる。また、判断部２３０は、使用しているエネルギー発生装置１００の出力量曲線と、使用しているエネルギー発生装置１００と類似した種類のエネルギー発生装置の出力量曲線をイメージに生成してユーザーのパーソナルコンピュータやスマートフォン端末、または個人携帯端末に送信することができる。
【００４１】
上記のように構成された本実施形態の場合、太陽光や風力、または水力を利用してエネルギーを発生させる複数のエネルギー発生装置１００から出力量情報を送信してもらい、出力量情報を利用して使用しているエネルギー発生装置１００の状態を把握するため、別途のセンサを設置する必要がなく、エネルギー発生装置１００の全体構造が単純になり、設置コストが削減されることになる。
【００４２】
また、使用しているエネルギー発生装置１００の出力量情報を送信してもらって類似した種類または環境で使用されたエネルギー発生装置１００の出力量情報と比較することにより、エネルギー発生装置１００の状態を別途調査する必要なく、その状態を容易に把握することができるようにする。
【００４３】
また、インターフェース３００を通じて使用しているエネルギー発生装置１００の情報を出力量曲線３３３など様々な形態で提供してもらうようにすることにより、監視中のエネルギー発生装置１００の現在の状態を正確に判断することができるようにする。
【００４４】
以上、本発明の好適な一実施形態を説明したが、本発明は、様々な変更及び均等物を使用することができ、上記の実施形態を適切に変形して同様に応用できることが明確である。したがって、上記の記載内容は特許請求の範囲で定まる本発明の技術的範囲を限定するものではない。
【符号の説明】
【００４５】
１００    エネルギー発生装置
２００    監視サーバ
２１０    受信部
２２０    格納部
２３０    判断部
３００    インターフェース
【図１】
0006307122.tif 000002
【図２】
0006307122.tif 000003
【図３】
0006307122.tif 000004
【図４】
0006307122.tif 000005